(57)【特許請求の範囲】
【請求項１】
対向する前後面の一方に作業用開口部を備えた複数戸の収納室が上下及び左右方向に連接されてなる外部構造体と、入れ替え可能な構成部材からなり、前記外部構造体の所定収納室内にその作業用開口部を介して前記構成部材の出し入れ可能に構築された内部居住構造体とからなる建築構造物であって、
前記外部構造体に、上下方向に連接された複数戸の収納室の左右両側の各外側面に沿って垂設された昇降支持体と、
左右両側の各昇降支持体に、昇降移動可能に設けられた昇降台と、
左右両側の各昇降台とそれと同側の昇降支持体との間に、後者に対する前者の一時固定及び固定解除可能に介設された第一の係脱機構と、
左右両側の各昇降支持体に、それと同側の昇降台より下方の位置において、昇降移動可能に設けられた反力受け台と、
左右両側の各反力受け台とそれと同側の昇降支持体との間に、後者に対する前者の一時固定及び固定解除可能に介設された第二の係脱機構と、
左右両側の各昇降台に、前後方向に進退移動可能に設けられた荷台支持体と、
左右両側の荷台支持体に、それらが左右両側の昇降台から進出した状態において、それらを架橋するように着脱可能に装着される荷台と、
左右両側の第一の係脱機構を駆動し、左右両側の昇降台を各側の昇降支持体に対して左右連動的に一時固定及び固定解除させる第一の係脱駆動手段と、
左右両側の第二の係脱機構を駆動し、左右両側の反力受け台を各側の昇降支持体に対して左右連動的に一時固定及び固定解除させる第二の係脱駆動手段と、
左右両側の荷台支持体を駆動し、それらを各側の昇降台に対して左右連動的に前後方向に進退移動させる進退駆動手段と、
左右両側の昇降台及び反力受け台の一方を他方に対して駆動し、それらを左右連動的に相対的に昇降移動させる昇降駆動手段と、
左右両側の荷台支持体を、それらの進出時において、各側の反力受け台に対して左右連動的に下支えする下支え駆動手段とを備えたことを特徴とする建築構造物。
【請求項２】
請求項１に記載の建築構造物において、左右両側の各昇降支持体が、同側の昇降台及び反力受け台と上下方向に摺嵌可能な昇降スペースを有する鋼製柱体とそれを囲繞し補強する囲繞補強体とからなる建築構造物。
【請求項３】
請求項１又は２に記載の建築構造物における内部居住構造体から改装予定の構成部材を取り外す工法であって、
左右両側の各反力受け台を、第二の係脱駆動手段により所要高さに一時固定した状態で、左右両側の各昇降台を、昇降駆動手段により、改装予定の構成部材が組み込まれた内部居住構造体が収納されている第一の収納室の高さまで、前記反力受け台に対して昇降移動させると共に、第一の係脱駆動手段により前記高さに一時固定させる工程と、
左右両側の各荷台支持体を、進退駆動手段により左右両側の昇降台内から前記昇降支持体の外側へと進出させると共に、該進出した荷台支持体を、下支え駆動手段により前記反力受け台で下支えさせ、且つ前記進出し、下支えされた左右両側の荷台支持体にそれらを架橋するように荷台を着脱可能に装着する工程と、
前記内部居住構造体から改装予定の構成部材を取り外すと共に前記第一の収納室からその作業用開口部を介して前記荷台上に移動させる工程と、
左右両側の各反力受け台を、第二の係脱駆動手段により所要高さに一時固定した状態で、左右両側の各昇降台を、前記荷台に前記改装予定の構成部材を載置させつつ、昇降駆動手段により、前記改装予定の構成部材の受渡しが可能な所要の高さまで、前記反力受け台に対して昇降移動させると共に、第一の係脱駆動手段により前記高さに一時固定させる工程と、
前記改装予定の構成部材を、前記荷台から移動させて所要の改装に供する工程と、
左右両側の荷台支持体から前記荷台を取り外した後に、左右両側の各荷台支持体を、進退駆動手段により前記昇降支持体の外側から左右両側の昇降台内へと後退させると共に、該荷台支持体に対する前記反力受け台からの下支え駆動手段による下支えを解除させる工程とを含むことを特徴とする内部居住構造体における改装予定の構成部材の取り外し工法。
【請求項４】
請求項１又は２に記載の建築構造物における内部居住構造体に改装済みの構成部材を取り付ける工法であって、
左右両側の各反力受け台を、第二の係脱駆動手段により所要高さに一時固定した状態で、左右両側の各昇降台を、昇降駆動手段により、改装済みの構成部材の受渡しが可能な所要の高さまで、前記反力受け台に対して昇降移動させると共に、第一の係脱駆動手段により前記高さに一時固定させる工程と、
左右両側の各荷台支持体を、進退駆動手段により左右両側の昇降台内から前記昇降支持体の外側へと進出させると共に、該進出した荷台支持体を、下支え駆動手段により前記反力受け台で下支えさせ、且つ前記進出し、下支えされた左右両側の荷台支持体にそれらを架橋するように荷台を着脱可能に装着する工程と、
前記内部居住構造体に組み込まれるべく準備された改装済みの構成部材を前記荷台上に移動させる工程と、
左右両側の各反力受け台を、第二の係脱駆動手段により所要高さに一時固定した状態で、左右両側の各昇降台を、前記荷台に前記改装済みの構成部材を載置させつつ、昇降駆動手段により、前記改装済みの構成部材の取り付けが予定された内部居住構造体が収納されている第二の収納室の高さまで、前記反力受け台に対して昇降移動させると共に、第一の係脱駆動手段により前記高さに一時固定させる工程と、
前記改装済みの構成部材を、前記荷台から前記第二の収納室内にその作業用開口部を介して移動させると共に内部居住構造体に取り付ける工程と、
左右両側の荷台支持体から前記荷台を取り外した後に、左右両側の各荷台支持体を、進退駆動手段により前記昇降支持体の外側から左右両側の昇降台内へと後退させると共に、該荷台支持体に対する前記反力受け台からの下支え駆動手段による下支えを解除させる工程とを含むことを特徴とする内部居住構造体における改装済みの構成部材の取り付け工法。
【発明の詳細な説明】
【技術分野】
【０００１】
本発明は、老朽化等に伴う内装の模様替えや改造等に至便な集合住宅、病院その他の建築構造物並びにそれを構成する内部居住構造体における改装予定の構成部材の取り外し工法及び改装済みの構成部材の取り付け工法に関する。
【背景技術】
【０００２】
複数戸の収納室が上下に配置された外部構造体の前記収納室に内部居住構造体がユニットハウスやプレハブ工法等で構築されてなる集合住宅等の建築構造物において、前記内部居住構造体を構成するパネル、ボード、組立て部材、その他の各種構成部材を入れ替えることにより内装の模様替えや改造等を実現することが可能であり、これによって、現場での解体作業等によって生じる振動や騒音の発生を抑えることができる。而して、前記内部居住構造体における構成部材の入れ替えには、所要収納室に対する改装予定又は改装済みの前記構成部材の出し入れや運搬等の作業が必要となる。
【０００３】
この問題に対して、本出願人は、先に、前記外部構造体の収納室内における内部居住構造体の左右両側に、昇降台用垂直案内部材を備えた可動足場が突出可能に収納された建築構造物を提案した（特許文献１）。
【０００４】
前記先行技術によれば、前記内部居住構造体自体の入れ替えにより、内装の模様替えや改造等を振動や騒音公害の発生なしに短期間で施工すると共に目的に適応した新たな居住空間を早期に構築することができる。
【０００５】
しかしながら、前記改良技術では、前記内部居住構造体の昇降移動のために、前記外部構造体の外側に昇降装置を架設すると共にこれを前記可動足場と組み合わせる必要があり、外部周辺に前記昇降装置のための作業スペースを要すること、前記昇降装置の仮設作業を要すること、及び前記昇降装置の仮設作業や前記昇降装置による昇降作業に危険を伴い易いこと等の問題を残していた。
【先行技術文献】
【特許文献】
【０００６】
【特許文献１】特許第３００１３８９号公報
【発明の概要】
【発明が解決しようとする課題】
【０００７】
本発明の解決すべき課題は、前記先行技術の問題点に鑑み、居住空間を構成する内部居住構造体における構成部材の入れ替えにより、内装の模様替えや改造等を、振動や騒音公害の発生なしに、また外部に広い作業スペースをとる昇降装置の仮設作業なしに、安全に且つ短期間で施工すると共に目的に適応した新たな居住空間を効率的に且つ早期に構築することができる建築構造物並びにそれを構成する内部居住構造体における改装予定の構成部材の取り外し工法及び改装済みの構成部材の取り付け工法を提供することにある。
【課題を解決するための手段】
【０００８】
請求項１に係る発明は、既述課題を解決する建築構造物を提供するものであり、前記建築構造物は、
対向する前後面の一方に作業用開口部を備えた複数戸の収納室が上下及び左右方向に連接されてなる外部構造体と、入れ替え可能な構成部材からなり、前記外部構造体の所定収納室内にその作業用開口部を介して前記構成部材の出し入れ可能に構築された内部居住構造体とからなる建築構造物であって、
前記外部構造体に、上下方向に連接された複数戸の収納室の左右両側の各外側面に沿って垂設された昇降支持体と、
左右両側の各昇降支持体に、昇降移動可能に設けられた昇降台と、
左右両側の各昇降台とそれと同側の昇降支持体との間に、後者に対する前者の一時固定及び固定解除可能に介設された第一の係脱機構と、
左右両側の各昇降支持体に、それと同側の昇降台より下方の位置において、昇降移動可能に設けられた反力受け台と、
左右両側の各反力受け台とそれと同側の昇降支持体との間に、後者に対する前者の一時固定及び固定解除可能に介設された第二の係脱機構と、
左右両側の各昇降台に、前後方向に進退移動可能に設けられた荷台支持体と、
左右両側の荷台支持体に、それらが左右両側の昇降台から進出した状態において、それらを架橋するように着脱可能に装着される荷台と、
左右両側の第一の係脱機構を駆動し、左右両側の昇降台を各側の昇降支持体に対して左右連動的に一時固定及び固定解除させる第一の係脱駆動手段と、
左右両側の第二の係脱機構を駆動し、左右両側の反力受け台を各側の昇降支持体に対して左右連動的に一時固定及び固定解除させる第二の係脱駆動手段と、
左右両側の荷台支持体を駆動し、それらを各側の昇降台に対して左右連動的に前後方向に進退移動させる進退駆動手段と、
左右両側の昇降台及び反力受け台の一方を他方に対して駆動し、それらを左右連動的に相対的に昇降移動させる昇降駆動手段と、
左右両側の荷台支持体を、それらの進出時において、各側の反力受け台に対して左右連動的に下支えする下支え駆動手段とを備えたことを特徴としている。
【０００９】
前記昇降台及び反力受け台は、前記昇降支持体に対して、例えば摺嵌構造等の公知の案内構造を介して昇降移動可能に嵌合されていてもよい。また、前記荷台支持体は、昇降台に対して、例えば摺嵌構造等の公知の案内構造を介して進退移動可能に嵌合されていてもよい。前記内部居住構造体は、ユニットハウスやプレハブ工法等により構築され、取り外し及び取り付けが容易に可能な各種構成部材からなるものである。
【００１０】
前記昇降台及び／又は反力受け台は、安全の確保及び補強のために、公知のワイヤロープ懸垂手段等により前記昇降支持体に上方から吊り下げ支持されることが好ましい。
【００１１】
前記昇降支持体は、前記のように、外部構造体における、上下方向に連接された複数戸の収納室の左右外側面に沿って垂設されるが、前記上下方向に連接された複数戸の収納室及びそれと隣接する他の上下方向に連接された複数戸の収納室との間においては、前者の外側面に沿って垂設される前記昇降支持体が後者の外側面に沿って垂設される昇降支持体に兼用されてもよい。
【００１２】
前記建築構造物における左右両側の各昇降支持体が、例えば請求項２に記載のように、同側の昇降台及び反力受け台と上下方向に摺嵌可能な昇降スペースを有する鋼製柱体とそれを囲繞し補強する囲繞補強体とからなるものであり、これによれば、前記昇降支持体が強固に構成されるので、昇降台及び反力受け台を安定して昇降移動させることができる。
【００１３】
前記建築構造物において、内装の模様替えや改造等を行うに際しては、内部居住構造体から改装予定の構成部材を取り外す工法と、改装済みの構成部材を内部居住構造体に取り付ける工法が実施される。
【００１４】
請求項３に係る発明は、請求項１又は２に記載の建築構造物における内部居住構造体から改装予定の構成部材を取り外す工法であって、
左右両側の各反力受け台を、第二の係脱駆動手段により所要高さに一時固定した状態で、左右両側の各昇降台を、昇降駆動手段により、改装予定の構成部材が組み込まれた内部居住構造体が収納されている第一の収納室の高さまで、前記反力受け台に対して昇降移動させると共に、第一の係脱駆動手段により前記高さに一時固定させる工程と、
左右両側の各荷台支持体を、進退駆動手段により左右両側の昇降台内から前記昇降支持体の外側へと進出させると共に、該進出した荷台支持体を、下支え駆動手段により前記反力受け台で下支えさせ、且つ前記進出し、下支えされた左右両側の荷台支持体にそれらを架橋するように荷台を着脱可能に装着する工程と、
前記内部居住構造体から改装予定の構成部材を取り外すと共に前記第一の収納室からその作業用開口部を介して前記荷台上に移動させる工程と、
左右両側の各反力受け台を、第二の係脱駆動手段により所要高さに一時固定した状態で、左右両側の各昇降台を、前記荷台に前記改装予定の構成部材を載置させつつ、昇降駆動手段により、前記改装予定の構成部材の受渡しが可能な所要の高さまで、前記反力受け台に対して昇降移動させると共に、第一の係脱駆動手段により前記高さに一時固定させる工程と、
前記改装予定の構成部材を、前記荷台から移動させて所要の改装に供する工程と、
左右両側の荷台支持体から前記荷台を取り外した後に、左右両側の各荷台支持体を、進退駆動手段により前記昇降支持体の外側から左右両側の昇降台内へと後退させると共に、該荷台支持体に対する前記反力受け台からの下支え駆動手段による下支えを解除させる工程とを含むことを特徴としている。
【００１５】
また、請求項４に係る発明は、請求項１又は２に記載の建築構造物における内部居住構造体に改装済みの構成部材を取り付ける工法であって、
左右両側の各反力受け台を、第二の係脱駆動手段により所要高さに一時固定した状態で、左右両側の各昇降台を、昇降駆動手段により、改装済みの構成部材の受渡しが可能な所要の高さまで、前記反力受け台に対して昇降移動させると共に、第一の係脱駆動手段により前記高さに一時固定させる工程と、
左右両側の各荷台支持体を、進退駆動手段により左右両側の昇降台内から前記昇降支持体の外側へと進出させると共に、該進出した荷台支持体を、下支え駆動手段により前記反力受け台で下支えさせ、且つ前記進出し、下支えされた左右両側の荷台支持体にそれらを架橋するように荷台を着脱可能に装着する工程と、
前記内部居住構造体に組み込まれるべく準備された改装済みの構成部材を前記荷台上に移動させる工程と、
左右両側の各反力受け台を、第二の係脱駆動手段により所要高さに一時固定した状態で、左右両側の各昇降台を、前記荷台に前記改装済みの構成部材を載置させつつ、昇降駆動手段により、前記改装済みの構成部材の取り付けが予定された内部居住構造体が収納されている第二の収納室の高さまで、前記反力受け台に対して昇降移動させると共に、第一の係脱駆動手段により前記高さに一時固定させる工程と、
前記改装済みの構成部材を、前記荷台から前記第二の収納室内にその作業用開口部を介して移動させると共に内部居住構造体に取り付ける工程と、
左右両側の荷台支持体から前記荷台を取り外した後に、左右両側の各荷台支持体を、進退駆動手段により前記昇降支持体の外側から左右両側の昇降台内へと後退させると共に、該荷台支持体に対する前記反力受け台からの下支え駆動手段による下支えを解除させる工程とを含むことを特徴としている。
【００１６】
前記内部居住構造体における構成部材の改装は、例えば外部の工場等で行われてもよい。また、前記構成部材の改装には、既使用の構成部材が改造、修理、改修される場合のみならず、新規の構成部材が準備される場合を包含している。また、前記構成部材の取り外し及び取り付けは、個々の構成部材のみならず、複数の構成部材に対して行われてもよい。
【００１７】
前記外部構造体としては、例えば公知の純鉄骨造、鉄筋コンクリート造、或は鉄骨鉄筋コンクリート造等の鉄骨造構造を好適に採用できる。また、前記の各収納室に収納される前記内部居住構造体としては、例えば公知の軽量鉄骨造その他の鉄骨造構造を好適に採用できる。
【００１８】
前記第一、第二の係脱駆動手段、進退駆動手段、昇降駆動手段及び下支え駆動手段等には、例えば公知の油圧シリンダ等の油圧機構を好適に採用することができる。また、前記第一、第二の係脱駆動手段における前記昇降支持体に対する昇降台及び反力受け台の一時固定及び解除には、例えば公知の油圧機構等により作動する嵌合突起と嵌合孔との嵌合機構等を好適に採用することができる。
【００１９】
また、左右両側における各側の、荷台支持体、第一の係脱駆動手段及び進退駆動手段からなる昇降台と、該昇降台と同じ側の、第二の係脱駆動手段、昇降駆動手段及び下支え駆動手段からなる反力受け台は、一体的な昇降ユニットを構成し、前記昇降ユニットは、前記昇降支持体に対して一体的に取り外したり、取り付けたりし得るように構成することも可能である。而して、前記昇降支持体には、前記昇降ユニットの不使用時や取り外し時に内部を外部から保護、遮蔽すると共にその露出を防ぎ、必要に応じてさらに防火戸や耐力壁等ともなり得る開閉扉が、好ましくは油圧機構等で開閉可能に設けられてもよい。また、前記昇降ユニットが取り外された前記昇降支持体は、別目的に使用されてもよい。
【００２０】
前記内部居住構造体から改装予定の構成部材を取り外す工法及び前記内部居住構造体に改装済みの構成部材を取り付ける工法において、左右両側の昇降台を所要の高さまで上昇させるに際しては、左右両側の反力受け台の一時固定下に、左右両側の昇降駆動手段をそのストロークの範囲内で伸長駆動させればよい。なお、左右両側の昇降台を、左右両側の昇降駆動手段のストロークを越えて上昇させるに際しては、左右両側の昇降台の一時固定下に、左右両側の昇降駆動手段を収縮駆動させて、左右両側の反力受け台を以前より上位に配置させた後に、既述のように、左右両側の反力受け台の一時固定下に、左右両側の昇降駆動手段を伸長駆動させればよく、前記操作の繰り返しにより、左右両側の昇降台を所要の高さまで上昇させることができる。
【００２１】
また、内部居住構造体における改装予定の構成部材を前記外部構造体から取り外す工法及び内部居住構造体に組み込まれる改装済みの構成部材を前記外部構造体に取り付ける工法において、左右両側の昇降台を所要の高さまで下降移動させるに際しては、左右両側の反力受け台の一時固定下に、左右両側の昇降駆動手段をそのストロークの範囲内で収縮駆動させればよい。なお、左右両側の昇降台を、左右両側の昇降駆動手段のストロークを越えて下降移動させるに際しては、左右両側の昇降台の一時固定下に、左右両側の昇降駆動手段を伸長駆動させて、左右両側の反力受け台を以前より下位に配置させた後に、既述のように、左右両側の反力受け台の一時固定下に、左右両側の昇降駆動手段を収縮駆動させればよく、前記操作の繰り返しにより、左右両側の昇降台を所要の高さまで下降移動させることができる。
【００２２】
前記昇降台は、既述のような諸操作により、所要高さまで自在に昇降移動させることができるので、本来の目的である前記構成部材の昇降移動の他に、緊急時における居住者等の緊急避難用や物資運搬用等の昇降機としても利用することができる。また、前記外部構造体には、例えば物資の運搬、ごみの収集、或いは前記構成部材の昇降移動における減速時や下降時における公知のエネルギーの回収及び再利用システムが設けられてもよい。
【発明の効果】
【００２３】
請求項１に係る発明によれば、内部居住構造体における構成部材の入れ替えにより、内装の模様替えや改造等を、振動や騒音公害の発生なしに、また外部に広い作業スペースをとる昇降装置の仮設作業なしに、安全に且つ短期間で施工すると共に目的に適応した新たな居住空間を効率的に且つ早期に構築することができる建築構造物を提供することができる。
【００２４】
前記発明では、左右両側における各側の、荷台支持体、第一の係脱駆動手段及び進退駆動手段からなる昇降台と、該昇降台と同じ側の、第二の係脱駆動手段、昇降駆動手段及び下支え駆動手段からなる反力受け台が、一体的な昇降ユニットを構成するので、各側において前記一連の部材を一体的に取り扱うことができ、至便である。また、前記発明では、前記外部構造体に、上下方向に連接された複数戸の収納室の左右外側面に沿って前記昇降ユニットの昇降移動可能に昇降支持体が垂設されているので、昇降装置の外部仮設作業が不要であり、外部構造体の外部周辺に昇降装置のためのスペースを取る必要がなく、従って昇降装置の仮設作業や昇降装置による昇降作業に危険を伴う恐れも生じない。
【００２５】
請求項２に係る発明によれば、請求項１に記載の建築構造物において、前記昇降支持体が、鋼製柱体とそれを囲繞し補強する囲繞補強体とからなり、強固に構成されるので、昇降台及び反力受け台を安定して昇降移動させることができる。
【００２６】
請求項３に係る発明によれば、請求項１又は２に記載の建築構造物において、所定の収納室内に構築されていた内部居住構造体から改装予定の構成部材を効果的に取り外すことができる。
【００２７】
また、請求項４に係る発明によれば、請求項１又は２に記載の建築構造物において、所定の収納室内に構築されていた内部居住構造体に改装済みの構成部材を効果的に取り付けることができ、また前記の請求項３に係る発明と協働して、請求項１又は２に記載の建築構造物における内部居住構造体に対して、改装予定の構成部材を、予め取り付け準備された改装済みの構成部材と自在に取り替えることができる。
【図面の簡単な説明】
【００２８】
【図１】図１は、本発明の実施例に係る建築構造物における左右両側の昇降台を横方向に切断した断面図である。
【図２】図２は、図１に示す建築構造物における左右両側の反力受け台を横方向に切断した断面図である。
【図３】図３は、図１に示す建築構造物における内部居住構造体を縦方向に切断した断面図である。
【図４】図４は、図１に示す建築構造物における一方側の昇降支持体を縦方向に切断した断面図である。
【図５】図５は、図４に示す建築構造物における一方側の反力受け台に対する左右両側の各昇降台の上昇移動時の内部側面図である。
【図６】図６は、本発明の実施例に係る内部居住構造体の参考間取り図である。
【図７】図７（Ａ）〜（Ｉ）は、図１に示す建築構造物における内部居住構造体から改装予定の構成部材を取り外す工法を経時的に説明する模式図である。
【図８】図８（Ａ）〜（Ｉ）は、図１に示す建築構造物における内部居住構造体に改装済みの構成部材を取り付ける工法を経時的に説明する模式図である。
【発明を実施するための形態】
【００２９】
以下、本発明を実施例に基づいて具体的に説明する。
【実施例】
【００３０】
［建築構造物の構成］
図１〜５において、建築構造物１を構成する外部構造体１１は、前面に玄関用開口部１２ａ、後面に作業用開口部１２ｂが各々設けられると共に上下及び左右方向に積層配置（上下方向の配置のみ図示される）された複数戸の収納室１２（図４〜５では一点鎖線で区画される）と、玄関用開口部１２ａを介して収納室１２と連通する共通の通路１３とを各階ごとに有し、各収納室１２には、ベランダ１４が設けられている。なお、図４〜５及び図７〜８に示す諸工程では、図面の複雑化を避けるために、通路１３及びベランダ１４がない状態の建築構造物１が図示されているが、必要に応じて、前記ベランダ１４が設置された状態で前記諸工程が実施されてもよい。
【００３１】
また、建築構造物１を構成する内部居住構造体２１は、プレハブやユニットハウスで形成され、作業用開口部１２ｂを介して出し入れ可能な構成部材２１ａ、２１ｂ、２１ｃ・・等からなり、前記収納室１２内に取り外し及び取り付け可能に構築されている。
【００３２】
また、前記外部構造体１１には、上下方向に連接された複数戸の収納室１２の左右外側面に沿って昇降支持体１５が垂設され、前記各側の昇降支持体１５は、後面が開口すると共に内部に昇降スペース１６ａを有する断面コ字状の鋼製柱体１６とそれを囲繞し補強する鉄筋コンクリート体又は鉄骨構造体等の囲繞補強体１７とから構成されている。なお、前記上下方向に連接された複数戸の収納室１２及びそれと隣接する他の上下方向に連接された複数戸の収納室１２との間においては、前者の外側面に沿って垂設される前記昇降支持体１５が後者の外側面に沿って垂設される昇降支持体１５に兼用され、またその場合の前記昇降支持体１５は両者間の隔壁を構成している。
【００３３】
前記鋼製柱体１６の昇降スペース１６ａ内に、昇降台３１が、前者の内壁に設けられた突条体１６ｂを後者の外壁に設けられた案内溝３１ａに摺嵌させつつ昇降移動可能に摺接されている。
【００３４】
前記鋼製柱体１６の内壁に嵌合孔１６ｃが設けられると共に前記昇降台３１の外壁に前記嵌合孔１６ｃと一時固定及び固定解除可能に爪体３１ｂが設けられ、前記嵌合孔１６ｃ及び前記爪体３１ｂは協働して第一の係脱機構を構成する。前記第一の係脱機構には、前記爪体３１ｂを前記嵌合孔１６ｃに対して係脱駆動する、油圧シリンダからなる第一の係脱駆動手段３５が組み込まれている。
【００３５】
また、左右両側の各昇降台３１には、テレスコピック形態の荷台支持体３２が前後方向に進退移動可能に設けられ、また前記昇降台３１と荷台支持体３２の間に、前記荷台支持体３２を進退駆動する、油圧シリンダからなる進退駆動手段３３が介設され、左右両側の荷台支持体３２は互いに連動して進出又は後退させられる。
【００３６】
左右両側の荷台支持体３２には、それらが外部に進出させられた後、内部居住構造体２１における所要の構成部材２１ａ、２１ｂ・・を載置させるための荷台３４が着脱可能に設置される。
【００３７】
他方、前記鋼製柱体１６の昇降スペース１６ａ内には、前記昇降台３１より下方の位置において、反力受け台４１が、前記の内壁に設けられた既述の突条体１６ｂを後者の外壁に設けられた案内溝４１ａに摺嵌させつつ昇降移動可能に摺接されている。
【００３８】
前記反力受け台４１の外壁に、前記鋼製柱体１６の内壁に設けられた既述の嵌合孔１６ｃと一時固定及び固定解除可能に爪体４１ｂが設けられ、前記嵌合孔１６ｃ及び前記爪体４１ｂは協働して第二の係脱機構を構成する。前記第二の係脱機構には、前記爪体４１ｂを前記嵌合孔１６ｃに対して係脱駆動する、油圧シリンダからなる第二の係脱駆動手段４５が組み込まれている。
【００３９】
左右両側における前記昇降台３１と反力受け台４１には、それらの一方に対して他方を昇降駆動する、油圧シリンダからなる昇降駆動手段４２が介設され、また左右両側における前記反力受け台４１と荷台支持体３２には、前記昇降台３１における進出状態にある一対の荷台支持体３２を下支えする、油圧シリンダからなる下支え駆動手段４３が設けられている。
【００４０】
前記昇降台３１及び反力受け台４１は、各側の鋼製柱体１６の昇降スペース１６ａ内において、昇降駆動手段４２を介する一体的な昇降ユニットとして昇降移動することになる。
【００４１】
なお、前記昇降ユニットが昇降移動させられる各側の鋼製柱体１６の昇降スペース１６ａにおける開口側面には、前記昇降ユニットの不使用時、即ち前記一対の荷台支持体３２が後退した状態にある時や前記鋼製柱体１６からの昇降ユニットの取り外し時に、昇降スペース１６ａ内の昇降ユニットを外部から保護、遮蔽する開閉扉１８が設けられている。また、前記昇降ユニットは、前記昇降台３１及び反力受け台４１における第一の係脱駆動手段３５及び第二の係脱駆動手段４５により前記鋼製柱体１６に確実に一時固定可能とされるが、非常時の落下を防止し、より安全を期すために、必要に応じて公知のワイヤロープ懸垂手段５１が設けられる。
【００４２】
図４に示す態様では、前記鋼製柱体１６の昇降スペース１６ａ内において昇降ユニットを構成すると共に昇降駆動手段により高さ調節された昇降台３１及び反力受け台４１が、各々第一の係脱駆動手段３５及び第二の係脱駆動手段４５により前記鋼製柱体１６の内壁に一時固定され、その状態下に、左右両側の荷台支持体３２が進退駆動手段３３により昇降台３１から外部に進出させられると共にそれらの上に荷台３４が設置され、且つ左右両側の荷台支持体３２が前記反力受け台４１から延びる下支え駆動手段４３により下支えされている。
【００４３】
前記態様では、次の所要ステップへの移行のために、前記荷台３４に、改装予定又は改装済みの所要の構成部材２１ａ、２１ｂ・・等を搭載することができる。
【００４４】
また、図５に示す態様では、図４に示すように、前記反力受け台４１が第二の係脱駆動手段４５により前記鋼製柱体１６の内壁に所要高さに一時固定され、且つ左右両側の荷台支持体３２が進退駆動手段３３により昇降台３１から外部に進出させられると共にそれらの上に荷台３４が設置され、その状態で、昇降台３１が、前記反力受け台４１から延びる下支え駆動手段４３により下支えされつつ、第一の係脱駆動手段３５による固定を解除されて、昇降駆動手段４２により一段階上の高さまで上昇移動させられ、その高さで第一の係脱駆動手段３５により一時固定されている。
【００４５】
前記態様では、次の所要ステップへの移行のために、前記昇降台３１を、前記荷台３４に、改装予定又は改装済みの所要の構成部材２１ａ、２１ｂ・・等を搭載させつつ上昇移動させることができる。
【００４６】
図６には、建築構造物１の間取り図が例示される。前記間取り図においては、各収納室１２中の内部居住構造体２１に、既述のような構成の昇降ユニット及びその周辺関連部材の他、通常通りに、玄関６１、下駄箱６２、ＭＢ（メーターボックス）６３、洋室６４、和室６５、ＬＤＫ（リビング・ダイニング・キッチン）６６、納戸６７、押入れ６８、クローゼット６９、パントリー７０、棚７１、カウンター７２、ランドリー７３、洗面室７４、浴室７５、トイレ７６、冷蔵庫置き場７７等が含まれ、また前記収納室１２の前方には通路１３、後方にはベランダ１４と非常用可動式間仕切り１９等が設けられている。
【００４７】
［昇降台の昇降機構］
左右両側の昇降台３１を所要の高さまで上昇させるに際しては、図４及び５を参照すると、左右両側の反力受け台４１の一時固定下に、左右両側の昇降駆動手段４２をそのストロークの範囲内で伸長駆動させればよい。なお、左右両側の昇降台３１を、左右両側の昇降駆動手段４２のストロークを越えて上昇させるに際しては、左右両側の昇降台３１の一時固定下に、左右両側の昇降駆動手段４２を収縮駆動させて、左右両側の反力受け台４１を以前より上位に配置させた後に、既述のように、左右両側の反力受け台４１の一時固定下に、左右両側の昇降駆動手段４２を伸長駆動させればよく、前記操作の繰り返しにより、左右両側の昇降台３１を所要の高さまで上昇させることができる。
【００４８】
また、左右両側の昇降台３１を所要の高さまで下降移動させるに際しては、図４及び５を参照すると、左右両側の反力受け台４１の一時固定下に、左右両側の昇降駆動手段４２をそのストロークの範囲内で収縮駆動させればよい。なお、左右両側の昇降台３１を、左右両側の昇降駆動手段４２のストロークを越えて下降移動させるに際しては、左右両側の昇降台３１の一時固定下に、左右両側の昇降駆動手段４２を伸長駆動させて、左右両側の反力受け台４１を以前より下位に配置させた後に、既述のように、左右両側の反力受け台４１の一時固定下に、左右両側の昇降駆動手段４２を収縮駆動させればよく、前記操作の繰り返しにより、左右両側の昇降台３１を所要の高さまで下降移動させることができる。
【００４９】
［改装予定の構成部材の取り外し工法］
建築構造物１における内装の模様替えや改造等を行うに際して、次のような工程（１）〜（６）で各種機構が順次操作され、第一の収納室１１２に収納されている内部居住構造体２１から改装予定の構成部材２１ａが取り外されると共に改装に供される。
【００５０】
（１）  図７（Ａ）に示すように、左右両側の各反力受け台４１が、第二の係脱駆動手段４５により、所要高さに一時固定された状態で、左右両側の各昇降台３１が、昇降駆動手段４２により、外部構造体１１における、改装予定の構成部材２１ａが収納されている第一の収納室１１２の高さまで昇降移動させられると共に、第一の係脱駆動手段３５により、前記高さに一時固定される。
【００５１】
なお、左右両側の各反力受け台４１の一時固定されるべき高さを確保するために、必要に応じて、左右両側の各昇降台３１及び各反力受け台４１の一方を一時固定して他方を昇降移動させる操作が実施され、或いは繰り返されてもよい。
【００５２】
（２）  図７（Ａ）に示す工程に続いて、図７（Ｂ）に示すように、左右両側の各荷台支持体３２が、進退駆動手段３３により、昇降台３１から前記昇降支持体１５の外側へと進出させられると共に、該進出した荷台支持体３２が、下支え駆動手段４３により、前記反力受け台４１で下支えされ、且つ前記進出し、下支えされた左右両側の荷台支持体３２にそれらを架橋するように荷台３４が着脱可能に装着される。前記荷台支持体３２の進出長さは、前記荷台３４上に載置される前記構成部材２１ａのサイズに応じて調節されてもよい。
【００５３】
（３）  図７（Ｂ）に示す工程に続いて、図７（Ｃ）に示すように、前記改装予定の構成部材２１ａが、前記第一の収納室１１２からその作業用開口部１２ｂを介して前記荷台３４上に移動させられる。
【００５４】
（４）  図７（Ｃ）に示す工程に続いて、図７（Ｄ）〜（Ｇ）に示すように、左右両側の各昇降台３１が、前記荷台３４に前記構成部材２１ａを載置させつつ、昇降駆動手段４２により、前記構成部材２１ａの受渡しが可能な所要の高さまで順次下降移動させられると共に、第一の係脱駆動手段３５により、前記高さに一時固定される。
【００５５】
即ち、図７（Ｄ）に示すように、左右両側の各昇降台３１が、第一の係脱駆動手段３５により、前記高さに一時固定され、且つ左右両側の荷台支持体３２が、下支え駆動手段４３により、前記反力受け台４１で下支えされ、前記荷台３４に前記構成部材２１ａを載置させた状態で、左右両側の各反力受け台４１が、昇降駆動手段４２により、一段下の高さに下降移動させられると共に、第二の係脱駆動手段４５により、前記高さに一時固定される。
【００５６】
図７（Ｄ）に示す工程に続いて、図７（Ｅ）に示すように、左右両側の各反力受け台４１が、第二の係脱駆動手段４５により、前記高さに一時固定され、且つ左右両側の荷台支持体３２が、下支え駆動手段４３により、前記反力受け台４１で下支えされた状態で、左右両側の各昇降台３１が、前記荷台３４に前記構成部材２１ａを載置させつつ、昇降駆動手段４２により、一段上の高さに下降移動させられると共に、第一の係脱駆動手段３５により、前記高さに一時固定される。
【００５７】
図７（Ｅ）に示す工程に続いて、図７（Ｆ）に示すように、既述の図７（Ｄ）に示す工程と同様にして、左右両側の各反力受け台４１が、昇降駆動手段４２により、一段下の高さに下降移動させられると共に、第二の係脱駆動手段４５により、前記高さに一時固定され、続いて図７（Ｇ）に示すように、既述の図７（Ｅ）に示す工程と同様にして、左右両側の各昇降台３１が、前記荷台３４に前記構成部材２１ａを載置させつつ、昇降駆動手段４２により、一段下の高さに、即ち前記構成部材２１ａの受渡しが可能な所要の高さまでに下降移動させられると共に、第一の係脱駆動手段３５により、前記高さに一時固定される。
【００５８】
（５）  図７（Ｇ）に示す工程に続いて、図７（Ｈ）に示すように、前記構成部材２１ａが前記荷台３４から移動させられると共に所要の改装に供される。
【００５９】
（６）  図７（Ｈ）に示す工程に続いて、図７（Ｉ）に示すように、左右両側の各荷台支持体３２が、進退駆動手段３３により前記昇降支持体１５の外側から左右両側の昇降台３１内へと後退させられると共に、該荷台支持体３２に対する前記反力受け台４１からの下支え駆動手段４３による下支えが解除される。
【００６０】
［改装済みの構成部材の取り付け工法］
建築構造物１における内装の模様替えや改造等を行うに際して、次のような工程（１）〜（６）で各種機構が順次操作され、改装済みの構成部材２１ｂが第二の収納室２１２内の内部居住構造体２１に取り付けられる。
【００６１】
（１）  図８（Ａ）に示すように、左右両側の各反力受け台４１が、第二の係脱駆動手段４５により、所要高さに一時固定された状態で、左右両側の各昇降台３１が、昇降駆動手段４２により、外部構造体１１における、改装済み構成部材２１ｂの受渡しが可能な所要の高さまで昇降移動させられると共に、第一の係脱駆動手段３５により、前記高さに一時固定される。
【００６２】
なお、左右両側の各反力受け台４１の一時固定されるべき高さを確保するために、必要に応じて、左右両側の各昇降台３１及び各反力受け台４１の一方を一時固定して他方を昇降移動させる操作が実施され、或いは繰り返されてもよい。
【００６３】
（２）  図８（Ａ）に示す工程に続いて、図８（Ｂ）に示すように、左右両側の各荷台支持体３２が、進退駆動手段３３により、昇降台３１から前記昇降支持体１５の外側へと進出させられると共に、該進出した荷台支持体３２が、下支え駆動手段４３により、前記反力受け台４１で下支えされ、且つ前記進出し、下支えされた左右両側の荷台支持体３２にそれらを架橋するように荷台３４が着脱可能に装着される。
【００６４】
（３）  図８（Ｂ）に示す工程に続いて、図８（Ｃ）に示すように、別途準備された改装済み構成部材２１ｂが前記荷台３４上に移動させられる。
【００６５】
（４）  図８（Ｃ）に示す工程に続いて、図８（Ｄ）〜（Ｇ）に示すように、左右両側の各昇降台３１が、前記荷台３４に前記構成部材２１ｂを載置させつつ、昇降駆動手段４２により、前記構成部材２１ｂの受渡しが可能な所要の高さまで順次下降移動させられると共に、第一の係脱駆動手段３５により、前記高さに一時固定される。
【００６６】
即ち、図８（Ｄ）に示すように、左右両側の各反力受け台４１が、第二の係脱駆動手段４５により、前記高さに一時固定され、且つ左右両側の荷台支持体３２が、下支え駆動手段４３により、前記反力受け台４１で下支えされた状態で、左右両側の各昇降台３１が、前記荷台３４に前記構成部材２１ｂを載置させつつ、昇降駆動手段４２により、一段上の高さに上昇移動させられると共に、第一の係脱駆動手段３５により、前記高さに一時固定される。
【００６７】
図８（Ｄ）に示す工程に続いて、図８（Ｅ）に示すように、左右両側の各昇降台３１が、第一の係脱駆動手段３５により、前記高さに一時固定され、且つ左右両側の荷台支持体３２が、下支え駆動手段４３により、前記反力受け台４１で下支えされ、前記荷台３４に前記構成部材２１ｂを載置させた状態で、左右両側の各反力受け台４１が、昇降駆動手段４２により、一段上の高さに上昇移動させられると共に、第二の係脱駆動手段４５により、前記高さに一時固定される。
【００６８】
図８（Ｅ）に示す工程に続いて、図８（Ｆ）に示すように、既述の図８（Ｄ）に示す工程と同様にして、左右両側の各昇降台３１が、前記荷台３４に前記構成部材２１ｂを載置させつつ、昇降駆動手段４２により、一段上の高さに、即ち改装済み構成部材２１ｂの収納が予定されている第二の収納室２１２の高さまで上昇移動させられると共に、第一の係脱駆動手段３５により、前記高さに一時固定され、続いて図８（Ｇ）に示すように、既述の図８（Ｅ）に示す工程と同様にして、左右両側の各反力受け台４１が、昇降駆動手段４２により、一段上の高さに上昇移動させられると共に、第二の係脱駆動手段４５により、前記高さに一時固定される。
【００６９】
（５）  図８（Ｇ）に示す工程に続いて、図８（Ｈ）に示すように、前記構成部材２１ｂが前記荷台３４から前記第二の収納室２１２内にその作業用開口部を介して移動させられる。
【００７０】
（６）  図８（Ｈ）に示す工程に続いて、図８（Ｉ）に示すように、左右両側の各荷台支持体３２が、進退駆動手段３３により前記昇降支持体１５の外側から左右両側の昇降台３１内へと後退させられると共に、該荷台支持体３２に対する前記反力受け台４１からの下支え駆動手段４３による下支えが解除される。
【００７１】
なお、本発明は前記実施形態に限定されるものではなく、本発明の精神と特許請求の範囲に記載された範囲内において、種々の変形、組合せ等による前記以外の多くの広範な実施態様が実施可能であることは言うまでもない。
【符号の説明】
【００７２】
１  建築構造物
１１  外部構造体
１２  収納室
１２ａ  玄関用開口部
１２ｂ  作業用開口部
１１２  第一の収納室
２１２  第二の収納室
１３  通路
１４  ベランダ
１５  昇降支持体
１６  鋼製柱体
１６ａ  昇降スペース
１６ｂ  突条体
１６ｃ  嵌合孔
１７  囲繞補強体
１８  開閉扉
１９  可動式間仕切り
２１  内部居住構造体
２１ａ、２１ｂ、２１ｃ  構成部材
３１  昇降台
３１ａ  案内溝
３１ｂ  爪体
３２  荷台支持体
３３  進退駆動手段
３４  荷台
３５  第一の係脱駆動手段
４１  反力受け台
４１ａ  案内溝
４１ｂ  爪体
４２  昇降駆動手段
４３  下支え駆動手段
４５  第二の係脱駆動手段
５１  ワイヤロープ懸垂手段
【要約】 
【課題】  内装の模様替えや改造等を安全に且つ短期間で施工することができる建築構造物を提供する。
【解決手段】  複数戸の収納室１２が上下に連接された外部構造体１１と、入れ替え可能な構成部材２１ａ、２１ｂ、２１ｃからなり、前記収納室１２内に前記構成部材の出し入れ可能に構築された内部居住構造体２１とからなる建築構造物１であって、前記収納室１２に沿って垂設された左右両側の昇降支持体１５に昇降移動可能に且つ一時固定及び固定解除可能に上下に設けられた昇降台３１及び反力受け台４１と、前記昇降台３１に前後方向に進退移動可能に設けと、前記荷台支持体３２にそれらの進出状態において装着される荷台３４と、前記反力受け台４１と昇降台３１との間に相対的昇降駆動可能に介設された昇降駆動手段４２と、前記反力受け台４１と荷台支持体３２との間に前記荷台支持体３２の下支え駆動可能に介設された下支え駆動手段４３とを備える。
【選択図】  図４【図１】
0005745679.tif 000002
【図２】
0005745679.tif 000003
【図３】
0005745679.tif 000004
【図４】
0005745679.tif 000005
【図５】
0005745679.tif 000006
【図６】
0005745679.tif 000007
【図７】
0005745679.tif 000008
【図８】
0005745679.tif 000009